(57)【特許請求の範囲】
【請求項１】
原稿画像にページ番号、セット番号、日付等の補助的画像を付加して画像を形成する複製管理機能および合紙を挟み込みながらＯＨＰシートへ画像形成を行うＯＨＰ合紙機能を有する画像形成装置において、
上記複製管理機能および上記ＯＨＰ合紙機能の双方が選択されるとともに複数部数の画像形成が選択されたときに、上記複数部数の画像形成には上記補助的画像が形成され、ＯＨＰシートへの画像形成に際しては上記補助的な画像のうちのセット番号の補助的画像の形成を禁止するかどうかを選択できることを特徴とする画像形成装置。
【発明の詳細な説明】
【０００１】
【発明の属する技術分野】
この発明は、複写機等の画像形成装置に関し、とくに、ＯＨＰ合紙機能、複製管理機能、会議コピー機能を有する画像形成装置においてＯＨＰシートに不必要な補助画像（アノテーションともいう）が形成されないようにするものである。
【０００２】
【従来の技術】
一般に複写機または複合機と呼ばれるものでは、原稿をそのまま用紙に複写するだけでなく、１回の設定でいろいろな処理が同時に行える。例えば特開平４−３１３７７１合公報に提案されているように、原稿をＯＨＰシートに画像処理して他のトレイから合紙を出力し、同時に会議用資料として複数部の用紙の出力することも可能である。
【０００３】
一方、アノテーション機能または複製管理機能と呼ばれ、原稿画像とは別の画像を用紙に印字する機能がある。この機能は、例えばページ番号や日付を付加したり、セット毎に番号を割り当てて付加したり、背景に桜紙のような模様を印字したりすることを可能とする機能である。この中で、特に複製管理機能に属するセット番号の印字は、配布した資料にＩＤ（識別記号）を付けることによって、他への機密文書の漏洩を防ぐような機能である。すなわち、配布したセット番号付きの資料を原稿としてコピーを取った場合に、その原稿内のセット番号もコピーされるので、誰に配布した資料かを特定できる。
【０００４】
ところで、一度の設定でＯＨＰ合紙と会議コピーを同時に行う場合に、この複製管理機能を併用することは非常に有意義なジョブであるが、状況によっては、ＯＨＰシートにも複製管理機能を働かすことによって、ＯＨＰシートによるプレゼンが見づらくなり、かつ原稿の文字が見えなくなってしまうというような不具合があった。もともとＯＨＰシートは配布することがないため、複製管理機能をそのＯＨＰシートに付加すること自体が意味の無い場合が多い。
【０００５】
【発明が解決する課題】
この発明は、以上の事情を考慮してなされたものであり、ＯＨＰ合紙機能、会議コピー機能および複製管理機能を同時に設定しようとする場合にも、ＯＨＰシート上には不必要な画像が形成されないようにすることを目的としている。
【０００６】
【課題を解決するための手段】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００７】
すなわち、この発明の一側面によれば、上述の目的を達成するために、画像形成装置に：原稿画像にページ番号、セット番号、日付等の補助的画像を付加して画像を形成する複製管理手段と；合紙を挟み込みながらＯＨＰシートへ画像形成を行うＯＨＰ合紙手段と；複数部の画像形成を管理する複数部画像形成管理手段と；上記ＯＨＰ合紙手段が動作するように選択されているときに、上記複製管理手段の少なくとも一部の機能を上記ＯＨＰ合紙手段により形成されるＯＨＰシート上への画像形成に関して禁止する禁止手段とを設けるようにしている。
【０００８】
この構成においては、ＯＨＰシートには複製管理手段により補助的画像の少なくとも一部が形成されないようにできるので、ＯＨＰシート上の画像を見やすいものに維持することができる。
【０００９】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品（記録媒体）もこの発明の技術的な範囲に含まれることも当然である。
【００１０】
また、画像形成装置は１つの筐体に収容されている必要はなく、結合された、あるいは離間した配置された複数のコンポーネントを組み合わせて構成してもよい。例えば、画像形成の指示を行うためのユーザインタフェースを提供するパーソナルコンピュータとプリンタとから構成してもい。この場合、原稿画像は、スキャナから取得したり、パーソナルコンピュータまたはファイルサーバに保持されているものを用いてもよい。
【００１１】
【発明の実施の形態】
以下、この発明の実施例について説明する。
【００１２】
図１は、この発明を複写機に適用した実施例のハードウェア構成を示している。図１において、複写機は、画像入力装置（ＩＩＯ）１０、画像出力装置（ＩＯＴ）１１、コントローラ１２およびユーザインタフェースユニット１３を含んで構成されている。これら画像入力装置１０、画像出力装置１１、コントローラ１２およびユーザインタフェースユニット１３自体は慣用されているものを用いることができる。コントローラ１２は画像入力装置インタフェース１２１、画像出力装置インタフェース１２２、ユーザインタフェースユニットインタフェース１２３、ページメモリ１２４、ＣＰＵ１２５、システムメモリ１２６、ハードディスク１２７等を含んで構成されている。このコントローラ１２自体の構成も周知であり、とくに詳細な説明は行わない。なお、図１の構成は一例であり、これ以外に種々の構成を採用できることはもちろんである。
【００１３】
図２は、この実施例が有する機能の一部を模式的に示しており、この図において、ユーザインタフェースユニット１３は、ＯＨＰ合紙設定部２０１、会議コピー設定部２０２、複製管理設定部２０３等を有している。ユーザインタフェースユニット１３は、これらの各部に対応して、操作画面の一部として、図３に示すような操作部を提供する。図３では、ＯＨＰボタン、合紙ボタン、会議コピーボタン、複製管理ボタン等が設けられている。もちろん、他の種々の操作画面を採用することも可能である。
【００１４】
図２において、コントローラ１２は、ＯＨＰ合紙制御部２０４、会議コピー制御部２０５、複製管理制御部２０６、禁止制御部２０７を有している。ユーザインタフェースユニット１３のＯＨＰ合紙設定部２０１、会議コピー設定部２０２、複製管理設定部２０３から各種のコマンドやパラメータがＯＨＰ合紙制御部２０４、会議コピー制御部２０５、複製管理制御部２０６、禁止制御部２０７に転送される。ＯＨＰ合紙制御部２０４はＯＨＰシートに画像を形成して合紙をＯＨＰシートの間に搬送する。会議コピー制御部２０５は複数部のコピーを生成する。複製管理制御部２０６はページ番号、セット番号、日付等のアノテーションを原稿画像に合成する。原稿画像の入力・合成は例えば画像入力装置１０で行われ、画像形成やＯＨＰシート、用紙（合紙を含む）は画像出力装置１１で行われる。
【００１５】
禁止制御部２０７は、ページ番号、セット番号、日付等のアノテーションの少なくとも一部について例えばＯＨＰシートに画像形成されるのを禁止する。どのような態様で禁止するかについては種々設計が可能である。ここでは、ＯＨＰ合紙機能をユーザが設定するときに、併せて複製管理機能を許可するかどうかを選択できるようにしている。
【００１６】
図４は、禁止制御部２０７に関連する動作を示しており、この図において、ユーザからＯＨＰ合紙機能が選択される（Ｓ１０）。この際、図３に示すように、「複製管理機能許可」について指示が行われる。つぎに複製管理機能が選択される（Ｓ１１）。図３に示すように、セット番号、ページ番号、日付等の指示が行われる。つぎにＯＨＰシートに複製管理機能が許可されているかどうかを判別する（Ｓ１２）。許可されている場合には、複製管理機能指定を完了する（Ｓ１３）。他方、ＯＨＰシートに複製管理機能が許可されていない場合には、会議コピーが選択されているかどうかが判別される（Ｓ１４）。会議コピーが選択されていない場合には複製管理機能を禁止して処理を終了する（Ｓ１５）。会議コピーが選択されている場合には、ＯＨＰシートに対して複製管理機能を禁止し（Ｓ１６）、複製管理機能指定を完了する。
【００１７】
このように複製管理機能を指定すると（ＯＨＰには複製管理機能を許可しない設定とした例）、図５に示すように、ＯＨＰシートにはアノテーションがつかず、会議コピーにはアノテーションをつけることができる。しかも一回の設定を行った後例えばスタートボタンを操作するのみで以上の画像形成を実行できる。
【００１８】
なお、この発明は上述の実施例に限定されるものではなくその趣旨を逸脱しない範囲で種々変更が可能である。例えば、アノテーションのうち例えばセット番号のみをＯＨＰシートについて禁止する等、アノテーションの種類に応じて禁止するかどうかを選択するようにしてもよい。また画像形成される用紙がＯＨＰであることを判別してアノテーションの付加を禁止するようにしてもよい。また、複数セットのコピーを形成する際に少なくとも１セットにアノテーションの付加を禁止するようにしてもよい。
【００１９】
【発明の効果】
以上説明したように、この発明によれば、例えばＯＨＰ合紙設定した場合には複製管理機能の少なくとも一部がそのＯＨＰシートに及ばないようにしているので、ＯＨＰシートにはアノテーションがなく他の会議コピーには通常のアノテーションがつくというようなジョブを１回の設定で行うことができる。
【図面の簡単な説明】
【図１】  この発明の実施例のハードウェア構成例を示す図である。
【図２】  上述実施例の機能構成を模式的に示すブロック図である。
【図３】  上述実施例の設定画面の例を示す図である。
【図４】  上述実施例の動作を説明するフローチャートである。
【図５】  上述実施例の画像形成の態様を説明する図である。
【符号の説明】
１０      画像入力装置
１１      画像出力装置
１２      コントローラ
１２      画像出力装置
１３      ユーザインタフェースユニット
１２１      画像入力装置インタフェース
１２２      画像出力装置インタフェース
１２３      ユーザインタフェースユニットインタフェース
１２４      ページメモリ
１２６      システムメモリ
１２７      ハードディスク
２０１      合紙設定部
２０２      会議コピー設定部
２０３      複製管理設定部
２０４      合紙制御部
２０５      会議コピー制御部
２０６      複製管理制御部
２０７      禁止制御部
【図１】
0004144235.tif 000002
【図２】
0004144235.tif 000003
【図３】
0004144235.tif 000004
【図４】
0004144235.tif 000005
【図５】
0004144235.tif 000006